(57)【要約】【課題】複数の音源からの信号を同時に出力する場合における各音源内のソースの切り替えを容易に行わせることができ、ユーザの使い勝手を向上させることができる端末装置を提供すること。【解決手段】複数の音源からの信号を合成して出力する場合に、これら各音源に関する情報（音源マーク１０ａ、１０ｂ、１０ｃ）と、これら各音源内のソースを選択させるためのソース選択手段（＋、−符号１１ａ、１１ｂ、１１ｃ）とを含む複数音源出力モード画面を表示させる表示制御手段９と、ソース選択手段に対する入力操作に基づいて、対応する音源内のソースを切り替えるソース切替制御手段９とを装備する。【選択図】  図３
2007329806.tif 000002
【特許請求の範囲】
【請求項１】
複数の音源からの信号を合成して出力する場合に、これら各音源に関する情報と、これら各音源内のソースを選択させるためのソース選択手段とを含む入力画面を表示させる表示制御手段と、
前記ソース選択手段に対する入力操作に基づいて、対応する音源内のソースを切り替えるソース切替制御手段とを備えていることを特徴とする端末装置。
【請求項２】
前記表示制御手段が、前記各音源に関する情報を、画面上に所定間隔を設けて表示させるものであり、
画面上で指示された位置と画面上の各音源との距離に関する情報に基づいて、前記各音源に対する音量を調整する音量制御手段を備えていることを特徴とする請求項１記載の端末装置。
【請求項３】
前記表示制御手段が、前記音量制御手段により調整された各音源の音量を把握させるための音量把握手段を、画面上の各音源の近傍位置に表示させるものであることを特徴とする請求項２記載の端末装置。
【請求項４】
所定の操作がなされた場合に、画面上の各音源に対する音量を所定のパターンで変化させる音量変化制御手段と、
該音量変化制御手段による前記各音源に対する音量変化に連動させて、前記各音源内のソースを所定のタイミングで切り替えていくソース自動切替制御手段とを備えていることを特徴とする請求項１〜３のいずれかの項に記載の端末装置。
【請求項５】
前記表示制御手段が、前記所定の操作がなされた場合に、画面上を所定のパターンで移動する移動表示手段を表示させるものであり、
前記音量変化制御手段が、画面上に移動表示される移動表示手段の動きに連動させて、前記各音源に対する音量を変化させるものであり、
前記ソース自動切替制御手段が、前記移動表示手段の動きに連動させて、ソースの切り替え対象とする音源を順次切り替えながら前記各音源のソースを切り替えていくものであることを特徴とする請求項４記載の端末装置。
【請求項６】
前記表示制御手段が、前記音量変化制御手段により変化させた各音源の音量を把握させるための音量把握手段を、画面上の各音源の近傍位置に表示させるものであることを特徴とする請求項５記載の端末装置。
【請求項７】
複数の音源からの信号を合成して出力する場合に、表示制御手段が、これら各音源に関する情報と、これら各音源内のソースを選択させるためのソース選択手段とを含む入力画面を表示させるステップと、
前記ソース選択手段に対する入力操作が検出された場合に、ソース切替制御手段が、対応する音源内のソースを切り替えるステップとを含むことを特徴とする複数音源の制御方法。
【請求項８】
前記入力画面の所定領域への指示操作が検出された場合に、音量制御手段が、画面上で指示された位置と画面上に所定間隔を設けて表示された各音源との距離に関する情報に基づいて、前記各音源に対する音量を調整するステップを含むことを特徴とする請求項７記載の複数音源の制御方法。
【請求項９】
所定の操作が検出された場合に、音量変化制御手段が、画面上の各音源に対する音量を所定のパターンで変化させるステップと、
ソース自動切替制御手段が、前記各音源に対する音量変化に連動させて、前記各音源内のソースを所定のタイミングで切り替えていくステップとを含むことを特徴とする請求項７又は請求項８記載の複数音源の制御方法。
【請求項１０】
前記各音源に関する情報が、経路を案内するナビゲーション機能に含まれる案内音源の種類を示すものであり、
前記ソース選択手段が、前記案内音源に対する案内音声の種類を選択させるためのものであり、
前記ソース切替制御手段が、前記ソース選択手段に対する入力操作に基づいて、対応する案内音源の案内音声の設定を切り替えるものであることを特徴とする請求項１〜３のいずれかの項に記載の端末装置。                                                    
【発明の詳細な説明】
【技術分野】
【０００１】
本発明は端末装置、及び複数音源の制御方法に関し、より詳細には複数の音源からの信号を同時に出力することのできる端末装置、及び複数音源の制御方法に関する。
【背景技術】
【０００２】
従来より、複数の音源からの信号を同時に出力する機能を備えた装置が提案されている。例えば、下記の特許文献１には、音源毎に音の態様（方向性や距離感）をそれぞれ調整することにより、複数の音源の各音を聴き分けやすくし、所望の音の選択が可能となる技術が開示されている。
【０００３】
また、下記の特許文献２には、複数の音源の音量を制御することで、それぞれの音源を区別させることができ、また、音源選択指示部を構成する操作レバーの傾倒方向（すなわち、基準線からの角度の情報）により複数音源の各音源の音量を切り替えることが可能となる技術が開示されている。
【０００４】
しかしながら、特許文献１、２には、複数の音源（例えば、ラジオ受信部とテレビ受信部）からの音を同時に出力している場合に、これら各音源内のソース（例えば、音源がラジオ受信部の場合、受信周波数、音源がＴＶ受信部の場合、受信チャンネル等）を切り替える技術については、特に記載されていない。
【０００５】
従来、音源内のソースの切り替えは、各音源用のソース選択画面等（例えば、音源がＣＤであれば、ＣＤの再生画面）を通じて、ソース（例えば、曲）の選択操作が行われるようになっており、このような従来の技術を複数の音源からの信号を同時に出力する場合に適用した場合、ある音源内のソースを切り替えるために、いちいちその音源用のソース選択画面に切り替えて、選択等の操作を行わなければならず、音源内のソースの選択操作が煩雑となり手間もかかってしまうという問題があった。
【０００６】
また、複数の音源を備えた端末装置には、ランダム再生機能が装備されているものもあるが、従来のランダム再生は、同一音源内で実施される（例えば、ＣＤ内の曲をランダムに再生する）のが一般的であり、複数の音源に跨がる形態（例えば、ラジオ→ＴＶ→ＣＤを繰り返す形態等）で、各音源内のソース（受信周波数、受信チャンネル、再生曲）を切り替えながら音響信号を出力する技術については、これまで提案されていなかった。
【特許文献１】特開平１０−２５６８５８号公報
【特許文献２】特開２００１−２７５１９７号公報
【発明の開示】
【課題を解決するための手段及びその効果】
【０００７】
本発明は上記課題に鑑みなされたものであって、複数の音源からの信号を同時に出力する場合における各音源内のソースの切り替えを容易に行わせることができ、ユーザの使い勝手を向上させることができる端末装置、及び複数音源の制御方法を提供することを目的としている。
【０００８】
上記目的を達成するために本発明に係る端末装置（１）は、複数の音源からの信号を合成して出力する場合に、これら各音源に関する情報と、これら各音源内のソースを選択させるためのソース選択手段とを含む入力画面を表示させる表示制御手段と、前記ソース選択手段に対する入力操作に基づいて、対応する音源内のソースを切り替えるソース切替制御手段とを備えていることを特徴としている。
【０００９】
上記端末装置（１）によれば、複数の音源からの信号を合成して出力する場合に、これら各音源に関する情報と、これら各音源内のソースを選択させるためのソース選択手段とを含む入力画面が表示され、前記ソース選択手段に対する入力操作に基づいて、対応する音源内のソースが切り替えられる。したがって、前記入力画面を通じて、同時に出力される各音源内のソースを簡単に選択させることが可能となり、ユーザの使い勝手を向上させることができる。
【発明を実施するための最良の形態】
【００１０】
以下、本発明に係る端末装置、及び複数音源の制御方法の実施の形態を図面に基づいて説明する。図１は、実施の形態に係る端末装置の要部を概略的に示したブロック図である。
【００１１】
図中１は、端末装置を示しており、端末装置１は、複数の音源２ａ、２ｂ、…２ｎと、選択された複数の音源から出力される音源信号の音量を調整する音量制御部３と、音量制御部３でそれぞれの音量が調整された各音源からの音源信号を合成（ミキシング）する合成部４と、合成部４で合成された音源信号を増幅してスピーカ６に出力する出力部５と、表示ディスプレイ７ａ等を含んで構成された表示部７と、表示部７に配設された釦スイッチ８ａや表示ディスプレイ７ａ上に配設されたタッチパネル８ｂなどを含んで構成された操作部８と、操作部８からの入力信号等に基づいて、各部の機能を制御、例えば、音源信号を出力する音源の切替や音源内のソースの切替等の音源２ａ〜２ｎに対する制御、音量制御部３に対する音量調整制御、及び表示部７に対する表示制御などを行うシステム制御部９とを含んで構成されている。
【００１２】
なお、複数の音源２ａ〜２ｎには、ＡＭ放送波を受信するＡＭ受信部、ＦＭ放送波を受信するＦＭ受信部、ＴＶ放送波を受信するＴＶ受信部、ＣＤやＤＶＤを再生するＣＤ／ＤＶＤデッキ、ＭＤを再生するＭＤデッキ、楽曲ファイル等の読出・書込が可能なハードディスクや半導体メモリ、カセットテープを再生するカセットデッキのうちの少なくとも２つ以上の音源が採用され得る。
【００１３】
また、音量制御部３と合成部４とは、ディジタル信号処理を行うＤＳＰによって構成され、システム制御部９は、ＣＰＵ、ＲＡＭ、ＲＯＭを含むマイコンから構成されており、ＲＯＭには、各部に対する制御を実行するためのプログラムや各種データが格納されている。
【００１４】
次に実施の形態に係る端末装置１により実現される複数音源の制御方法について図２〜図５を用いて説明する。
まず、所定のメニュー画面等を通じて、複数音源出力メニューが選択されると、図２に示した複数音源選択メニュー画面が表示され、ユーザは、この画面を通じて、合成して出力する音源を選択することが可能となっている。
【００１５】
図２に示した複数音源選択メニュー画面において、例えば、ＡＭ、ＦＭ、ＴＶの３つの音源ボタンが選択された後、決定ボタンが入力されると、複数音源出力モードに移行し、図３に示した複数音源出力モード画面が表示される。ユーザは、この画面を通じて、表示された複数の音源の各音源内のソースの切替と、各音源に対する音量の調整とを適宜行うことが可能となっている。
【００１６】
なお、複数音源出力モードの状態で、端末装置１の電源がＯＦＦされた場合には、複数音源出力モードの設定状態が記憶され、次回の電源ＯＮ時には、前回の設定状態を読み出して、前回ＯＦＦ時の複数音源出力モード画面が表示されるようになっている。
【００１７】
図３に示した複数音源出力モード画面においては、複数音源選択メニュー画面にて選択された複数の音源（ＴＶ、ＡＭ、ＦＭ）を示すマーク１０ａ、１０ｂ、１０ｃ（円内に文字（音源とそのソース）が表記された図柄）が、三角形の頂角に位置する形態で表示され、各音源マーク１０ａ、１０ｂ、１０ｃに隣接させて、各音源内のソースを選択させるためのソース選択手段（この場合、＋、−の符号）１１ａ、１１ｂ、１１ｃが表示されるようになっている。
【００１８】
例えば、ＴＶの音源マーク１０ａに対応させた＋符号へのタッチ入力が検出されると、ＴＶの受信チャンネルが繰り上がるように制御される一方、−符号へのタッチ入力が検出されると、ＴＶの受信チャンネルが繰り下がるように制御され、切り替えられた受信チャンネルの情報が、ＴＶの音源マーク１０ａ内に表示されるようになっている（図３では、ＴＶの音源マーク１０ａ内に１が表示されている）。
【００１９】
同様に、ＦＭ（又はＡＭ）の音源マーク１０ｂ（又は１０ｃ）の＋符号へのタッチ入力が検出されると、ＦＭ（又はＡＭ）の受信周波数（任意の受信可能な周波数、又は登録された周波数）が繰り上がるように制御される一方、−符号へのタッチ入力が検出されると、ＦＭ（又はＡＭ）の受信周波数が繰り下がるように制御され、切り替えられた受信周波数の情報が、ＦＭ（又はＡＭ）の音源マーク１０ｂ（又は１０ｃ）内に示されるようになっている（図３では、ＦＭの音源マーク１０ｂ内に７６．１、ＡＭの音源マーク１０ｃ内に５９４が表示されている）。
【００２０】
なお、図３では、複数の音源マーク１０ａ、１０ｂ、１０ｃが円形で表示され、ソース選択手段１１ａ、１１ｂ、１１ｃが、＋、−の符号で表示されている場合を示しているが、これらの音源マークやソース選択手段の表示形態は、この形態に限定されるものではなく、ユーザにとって認識・識別しやすい種々の図柄や符号等が採用され得る。
【００２１】
また、選択された音源が３つの場合は、音源マークが、三角形の頂角に位置する形態で表示されるのが好ましいが、選択された音源が２つの場合は、音源マークが、横方向に所定間隔を設けて表示され、また、選択された音源が４つ以上の場合は、音源マークが、４角形等の多角形の頂角に位置する形態で表示されるようになっている。
【００２２】
また、図３に示した複数音源出力モード画面を通じて、ユーザは、複数の音源に対する音量の調整を行うことができるようになっており、例えば、ＴＶの音源マーク１０ａとＦＭの音源マーク１０ｂとの間の任意の位置がタッチされると、タッチが検出された画面上の位置（座標）と、ＴＶの音源マーク１０ａ及びＦＭの音源マーク１０ｂの位置（座標）との距離比が算出され、該距離比に基づいて、ＴＶ音源とＦＭ音源とに対する音量（音量比）が調整されるようになっている。なお、システム制御部９のＲＯＭ内には、距離比と音量調整比との関係を示すテーブルや関係式が予め記録されており、該テーブルや関係式に基づいて、各音源に対する音量の調整比の設定が行われるようになっている。なお、出力部５で調整される全体の音量（絶対音量）は、釦スイッチ８ａの中に設けられたメインボリュームボタンによって調整可能となっている。
【００２３】
さらに、複数音源に対する音量の調整を、図４を参照して説明すると、この場合、音源マーク１０ａ、１０ｂ、１０ｃを頂点とする三角形の略重心と、各音源マーク１０ａ、１０ｂ、１０ｃの中心とを結ぶ線で、音源の音量調整領域が３分割され、領域Ａが、ＴＶ音源とＡＭ音源との音量比の設定領域、領域ＢがＴＶ音源とＦＭ音源との音量比の設定領域、領域Ｃが、ＡＭ音源とＦＭ音源との音量比の設定領域に設定されている。
【００２４】
例えば、図４に示した画面上のＰ点がタッチされると、検出されたＰ点の座標が、Ｂ領域内にあると判断され、Ｐ点座標とＴＶの音源マーク１０ａとの距離Ｌ１、及びＰ点座標とＦＭの音源マーク１０ｂとの距離Ｌ２が算出され、距離Ｌ１と距離Ｌ２との距離比から、ＴＶ音源の音量とＦＭ音源の音量との比が決定される。例えば、Ｌ１：Ｌ２＝１：３であれば、Ｐ点座標から近い方の音源（この場合ＴＶ）の音量が大きくなるように、距離比の逆数をとって、ＴＶ音源：ＦＭ音源＝３：１に音量比が設定され、ＴＶ放送を主音源として出力しながら、ＦＭ放送を従音源として出力することができ、ユーザは、ＴＶ放送とＦＭ放送とを聴き分けながら二つの放送を同時に楽しむことが可能となっている。
【００２５】
そして、図３に示したように、複数音源出力モード画面においては、調整された各音源の音量を把握させるための円環形状をした音量マーク（音量把握手段）１２ａ、１２ｂ、１２ｃが、画面上の各音源の近傍位置に表示されるようになっており、音源間の音量比の設定状態が視覚的に把握し易いように音量マークで音量の大小が表示されるようになっている。なお、図３では、ＴＶ音源とＦＭ音源とからの信号が同時に出力されている状態（ＡＭ音源からの信号は出力されていない状態）を示している。
【００２６】
また、図３に示した複数音源出力モード画面には、複数の音源に跨がる形態で、各音源のソースを順次切り替えながら音声出力するモードに切り替えるためのランダムボタンが設けられている。
【００２７】
ランダムボタンが入力されると、図５（ａ）〜（ｃ）に示したランダム出力モード画面に切り替わり、音源マーク１０ａ、１０ｂ、１０ｃを頂点とする三角形の略重心から外側に向けて光線状のライトマーク１３が、円を描くように一定方向（この場合右方向）に回転するように表示され、ライトマーク１３の回転に連動させて、各音源に対する音量を変化させる処理と、各音源内のソースの切り替え処理とが並行して実施されるようになっている。
【００２８】
例えば、図５（ａ）に示したように、ライトマーク１３が、ＴＶの音源マーク１０ａとＦＭの音源マーク１０ｂとの間にある場合、ＴＶ音源とＦＭ音源とからの音声が同時に出力され、ライトマーク１３の移動に連動させて、ＴＶ音源とＦＭ音源との音量比が変化していくようになっている。その音量比は、例えば、ＴＶの音源マーク１０ａとＦＭの音源マーク１０ｂとを結ぶ線とライトマーク１３との交点と、ＴＶの音源マーク１０ａ及びＦＭの音源マーク１０ｂとの距離比の逆数となるように設定することができ、ライトマーク１３が音源マークから遠ざかると、その音源の音量が小さくなる一方、ライトマーク１３が音源マークに近付いてくると、その音源の音量が大きくなるように設定されている。また、その時の各音源の音量の変化を把握させるための円環形状をした音量マーク１２ａ、１２ｂ、１２ｃが、画面上の各音源マーク１０ａ、１０ｂ、１０ｃの近傍位置に表示されるようになっており、音源間の音量変化が視覚的に把握しやすいようになっている。
【００２９】
そして、ライトマーク１３が、ＦＭの音源マーク１０ｂを越えて、図５（ｂ）に示した状態になると、ＦＭ音源とＡＭ音源とからの音声が同時に出力され、上記と同様に、ライトマーク１３の移動に連動させて、ＡＭ音源とＴＶ音源との音量比が変化していくようになっている。その音量比は、上記と同様に、ＦＭの音源マーク１０ｂとＡＭの音源マーク１０ｃとを結ぶ線とライトマーク１３との交点と、ＦＭの音源マーク１０ｂ及びＡＭの音源マーク１０ｃとの距離比の逆数となるように設定することができ、また、その時の各音源の音量の変化を把握させるための音量マーク１２ａ、１２ｂ、１２ｃが、画面上の各音源マーク１０ａ、１０ｂ、１０ｃの近傍位置に表示されるようになっている。
【００３０】
そして、ライトマーク１３が、ＡＭの音源マーク１０ｃを越えて、図５（ｃ）に示した状態になると、ＡＭ音源とＴＶ音源との音声が同時に出力され、上記と同様に、ライトマーク１３の移動に連動させて、ＡＭ音源とＴＶ音源との音量比が変化していくようになっている。その音量比は、上記と同様に、ＡＭの音源マーク１０ｃとＴＶの音源マーク１０ａとを結ぶ線とライトマーク１３との交点と、ＡＭの音源マーク１０ｃ及びＴＶの音源マーク１０ａとの距離比の逆数となるように設定することができ、また、その時の各音源の音量の変化を把握させるための音量マーク１２ａ、１２ｂ、１２ｃが、画面上の各音源マーク１０ａ、１０ｂ、１０ｃの近傍位置に表示されるようになっている。
【００３１】
さらに、ランダム出力モードでは、同時に出力する音源を順次切り替えるとともに、ライトマーク１３の移動に連動させて、各音源のソースも順次切り替えられるようになっており、ライトマーク１３が、ＴＶの音源マーク１０ａとＦＭの音源マーク１０ｂとの間を移動しているときには（図５（ａ）参照）、ＡＭ音源の受信周波数が切り替えられるようになっている（切り替わる周波数は、次の設定周波数でもランダムに選ばれた設定周波数でもよい）。
【００３２】
すなわち、ライトマーク１３が、ＴＶの音源マーク１０ａとＦＭの音源マーク１０ｂとの間にある場合、ＡＭ音源からの音声は出力されておらず、この間に、ＡＭ音源の受信周波数が切り替えられる。
【００３３】
また、ＦＭの音源マーク１０ｂを越えたライトマーク１３が、ＦＭの音源マーク１０ｂとＡＭの音源マーク１０ｃと間を移動しているときには（図５（ｂ）参照）、ＴＶ音源の受信チャンネルが切り替えられるようになっている（切り替わるチャンネルは、次のチャンネルでもランダムに選ばれたチャンネルでもよい）。
【００３４】
そして、ＡＭの音源マーク１０ｃを越えたライトマーク１３が、ＡＭの音源マーク１０ｃとＴＶの音源マーク１０ａと間を移動しているときには（図５（ｃ）参照）、ＦＭ音源の受信周波数が切り替えられるようになっている（切り替わる周波数は、次の設定周波数でもランダムに選ばれた設定周波数であってもよい）。
【００３５】
このように端末装置１では、同時に出力する音源を順次切り替えながら（複数の音源に跨がる形態で）、各音源のソースも順次切り替えながら出力するランダム出力（ザッピングとも言う）制御を行うことができるようになっている。
【００３６】
また、複数音源のランダム出力の途中で、所定の停止操作（例えば、ライトマーク１３へのタッチ操作等）が検出されると、ランダム出力処理が停止され、その状態での音声出力が継続されるようになっている。
【００３７】
次に実施の形態に係る端末装置１におけるシステム制御部９の行う処理動作を図６、７に示したフロ−チャ−トに基づいて説明する。なお、本処理動作は、複数音源出力モードが選択されている場合に実行される。
【００３８】
まず、複数音源出力モード画面へのタッチ入力があったか否かを判断し（ステップＳ１）、タッチ入力がなかったと判断すれば処理を終える一方、タッチ入力があったと判断すれば、タッチ入力された座標を算出し（ステップＳ２）、算出したタッチ座標が属する領域を判断する（ステップＳ３）。
【００３９】
ステップＳ３において、タッチ座標が、いずれかの音源のソース選択手段（＋、−符号）の領域に属する、すなわち、ソース選択手段へのタッチ入力があったと判断すれば、該当するソース選択手段に対応する音源内のソースを切り替える処理を行い（ステップＳ４）、その後ステップＳ５に進む。例えば、タッチ座標が、ＦＭの音源マーク１０ｂの＋符号の領域に属する、すなわちＦＭの音源マーク１０ｂの＋符号に対するタッチ入力があったと判断すれば、ＦＭ音源の受信周波数を繰り上げて、次の受信局に切り替えるように音源（ＦＭ受信部）に受信局切替の制御信号を出力する処理を行う。ステップＳ５では、新たに切り替えられたソースの情報を音源マーク内に表示する処理を行い、その後処理を終える。
【００４０】
一方、ステップＳ３において、タッチ座標が、いずれかの音量調整領域（図４に示した領域Ａ〜Ｃのいずれか）に属すると判断すれば、タッチ座標が属する音量調整領域に対応する２つの音源マークと、タッチ座標との距離比Ｌ１：Ｌ２を算出する（ステップＳ６）。
【００４１】
次のステップＳ７では、算出された距離比Ｌ１：Ｌ２に基づいて、各音源に対する音量比を決定し、決定した音量比情報を含む音量調整信号を音量制御部３に出力し（ステップＳ８）、その後、ステップＳ９に進む。音量制御部３では、音量調整信号に基づいて、出力対象となっている各音源の音量比調整が実施される。ステップＳ９では、調整された各音源の音量を把握させるための音量マークを、画面上の各音源マークの近傍位置に表示させる処理を行い、その後処理を終える。
【００４２】
また一方、ステップＳ３において、タッチ座標が、ランダムボタンの領域に属する、すなわち、ランダムボタンに対するタッチ入力があったと判断すれば、複数音源のランダム出力処理（詳細は、後述する）に進み（ステップＳ１０）、その後、複数音源のランダム出力処理の停止操作があったか否かを判断し（ステップＳ１１）、停止操作がなかったと判断すれば、ステップＳ１０の処理を繰り返す一方、停止操作があったと判断すれば、該停止操作時の状態に対応する複数音源の出力処理を行い（ステップＳ１２）、その後処理を終える。
【００４３】
次に実施の形態に係る端末装置１におけるシステム制御部９の行う複数音源のランダム出力処理動作を図７に示したフロ−チャ−トに基づいて説明する。
【００４４】
まず、ステップＳ２１では、現在の複数音源の出力状態に対応する位置にライトマーク１３を表示し、その後、ライトマーク１３の移動に連動させて、複数音源に対する音量（音量比）を変化させながら信号を合成して出力する処理を行い（ステップＳ２２）、次に、各音源に対する音量の変化に対応させた音量マークを表示する処理を行う（ステップＳ２３）。
【００４５】
その後、ライトマーク１３が、次の音源マークを越えたか否かを判断し（ステップＳ２４）、ライトマーク１３が、次の音源マークを越えていないと判断すればステップＳ２２に戻り処理を繰り返す一方、ライトマーク１３が、次の音源マークを越えたと判断すれば、出力対象の音源を切り替える処理を行い（ステップＳ２５）、その後、ライトマーク１３の移動に連動させて、複数音源に対する音量（音量比）を変化させながら信号を合成して出力する処理を行い（ステップＳ２６）、次に、各音源に対する音量の変化に対応させた音量マークを表示する処理を行う（ステップＳ２７）。
【００４６】
次に、ライトマーク１３が、所定位置（例えば、音源マーク間の中点）を越えたか否かを判断し（ステップＳ２８）、ライトマーク１３が、音源マーク間の中点を越えていないと判断すればステップＳ２６に戻り処理を繰り返す一方、ライトマーク１３が、音源マーク間の中点を越えたと判断すれば、ライトマーク１３の延長線方向にある音源マークの音源内のソースを切り替える処理を行い（ステップＳ２９）、その後ステップＳ２２に戻り、ランダム出力の停止操作が検出されるまで処理を繰り返す。
【００４７】
上記実施の形態（１）に係る端末装置１によれば、複数の音源からの信号を合成して出力する場合に、これら各音源に関する情報（図３における音源マーク１０ａ、１０ｂ、１０ｃ）と、これら各音源内のソースを選択させるためのソース選択手段（図３における＋、−の符号１１ａ、１１ｂ、１１ｃ）とを含む複数音源出力モード画面が表示され、ソース選択手段１１ａ、１１ｂ、１１ｃに対する入力操作に基づいて、対応する音源内のソースが切り替えられる。したがって、複数音源出力モード画面を通じて、同時に出力される各音源内のソースを１つの画面で簡単に選択させることが可能となり、ユーザの使い勝手を向上させることができる。
【００４８】
また、各音源に関する情報（音源マーク）が、画面上に所定間隔を設けて表示され、タッチパネル８ｂを介して画面上で指示された位置と画面上の各音源マークとの距離比に基づいて、各音源に対する音量が調整されるので、複数の音源からの信号を同時に出力する場合における各音源の音量の調整を容易に行うことができ、また操作ボタンを意識させることなく自然な感覚で複数の音源の音量調整を行うことができる。
【００４９】
また、音量調整された各音源の音量を把握させるための円環形状をした音量マーク１２ａ、１２ｂ、１２ｃが、画面上の各音源マーク１０ａ、１０ｂ、１０ｃの近傍位置に表示されるので、各音源の音量の設定状態を視覚的に容易に把握することができる。
【００５０】
また、複数音源出力モード画面におけるランダムボタンの操作がなされた場合、画面上の各音源に対する音量を所定のパターンで変化させるとともに、該音量変化に連動させて、各音源内のソースが所定のタイミングで切り替えられていくので、複数の音源に跨がる形態で、各音源内のソースのランダムな音声出力を行うことができ、ユーザは、設定画面等の切り替えを行うことなく、複数の音源のソースを聴取することができ、聴取したい音源、及びその音源のソースの選択を１つの操作画面で容易に行うことができる。
【００５１】
また、複数音源のランダム出力時には、円を描くパターンで移動するライトマーク１３（移動表示手段）が画面上に表示され、ライトマーク１３の動きに連動させて、各音源に対する音量比を変化させるとともに、ライトマーク１３の動きに連動させて、ソースの切り替え対象とする音源を順次切り替えながら各音源のソースが切り替えられていくので、ユーザは、現在どのような出力状態なのかを画面を通じて容易に把握することができる。      
【００５２】
また、複数音源のランダム出力時においても、音量変化させた各音源の音量を把握させるための円環形状をした音量マーク１２ａ、１２ｂ、１２ｃが、画面上の各音源マーク１０ａ、１０ｂ、１０ｃの近傍位置に表示されるので、各音源の音量の変化の様子を容易に把握することができる。
【００５３】
なお、端末装置１が、車載用の端末装置として採用された場合、図３に示した複数音源出力モード画面と略同様な入力インターフェース機能を、車両の座席毎の音量や音響特性の設定機能に利用することができ、図８は、座席別音響設定画面の表示例を示している。
【００５４】
座席別音響設定画面には、音源マークに対応する４つの座席マーク（前席（左）（右）、後席（左）（右））と、ソース選択手段に対応する音量調整手段（＋、−の符号）とが表示されており、ユーザは、この画面を通じて、各座席マークに対応させた音量調整手段（＋、−の符号）のタッチ入力により、その座席に対応させたスピーカから出力される音量レベルを調整することが可能となっている。
【００５５】
また、各座席マークは、ＤＳＰの音響特性を選択する手段（選択ボタン）としての機能も備えており、入力回数に応じて、例えば、コンサートホール、ライブ、スタジアム、…等の音響特性に切り替わるようになっている。また、座席マーク内にＤＳＰの音響特性の情報が表示されている際の、＋、−の符号は、その音響特性の強さを調整する手段として機能するようになっている。
【００５６】
また、車内全体の絶対音量の調整（各座席間の音量の調整）は、ユーザによりタッチされた画面上のタッチ位置と、各座席マークとの距離比に応じて求められた音量比で各座席に分配されるようにすることができる。
【００５７】
このような座席別音響設定画面を通じて、ユーザは、各座席毎の音量や音響特性の設定を行うことができ、さらに、各座席間の絶対音量の設定も画面のタッチ位置と各座席マークとの距離比に応じて設定することができ、視覚的に分かりやすい音量、音響特性の設定を行うことができる。
【００５８】
また、さらに端末装置１が、車載用の端末装置として採用された場合、図３に示した複数音源出力モード画面と略同様な入力インターフェース機能を、ナビゲーション機能に含まれる複数音源の音声特性や音量比の設定機能に利用することができ、図９は、案内音源別音声設定画面の表示例を示している。
【００５９】
案内音源別音声設定画面には、音源マークに対応する３つの案内音源マーク（ナビ、危険通知、路車）と、ソース選択手段に対応する案内音声選択手段（＋、−の符号）とが表示されている。ユーザは、この画面を通じて、各案内音源マークに対応させた案内音声選択手段（＋、−の符号）へのタッチ入力により、その案内機能に対応させた案内音声の種類（男性の声、女性の声、高い声、低い声等）の設定を行うことができるようになっている。
【００６０】
例えば、ナビの案内音源マークに対応させた＋符号へのタッチ入力が検出されると、経路案内用の音声が、男性Ａ（高い声）、男性Ｂ（低い声）、…に切り替わるように制御される一方、−符号へのタッチ入力が検出されると、経路案内用の音声が、女性Ａ（低い声）、女性Ｂ（高い声）、…に切り替わるように制御されるようになっている。同様に、危険通知、路車の案内音源マークに対応させた＋、−符号も同様な音声切替機能を有しており、ユーザの好みに応じた音声を設定することができるようになっている。
【００６１】
なお、「危険通知」は、レーダやカメラ等の監視手段による監視に基づく危険通知案内のための音源に対応し、「路車」は、路車間通信により取得した交通情報等の案内のための音源に対応している。
【００６２】
また、ユーザは、この画面を通じて、各案内音源を同時に出力する場合の音量比の設定とを行うことが可能となっており、例えば、ナビの案内音源マークと危険通知の案内音源マークとの間の任意の位置がタッチされると、タッチが検出された画面上の位置（座標）と、ナビ及び危険通知の案内音源マークの位置（座標）との距離比が算出され、該距離比に基づいて、ナビ音源と危険通知音源とに対する音量比が設定されるようになっている。      
【００６３】
したがって、ナビ音源と危険通知音源とが同時に出力される場合に、危険通知の案内を主音源とする場合は、危険通知の案内音源マークに近い位置をタッチして音量比を設定しておけば良く、また、ナビ音源の案内音声を主音源とする場合には、ナビの案内音源マークに近い位置をタッチして音量比を設定しておけばよい。
【００６４】
このような設定を行っておけば、ナビによる経路案内が行われている時に、危険通知の案内が割り込みで実施される場合であっても、上記画面を通じて設定された音量比で、経路案内の音声と、危険通知の案内音声とを同時に出力することができ、ユーザはこれらの音声を聴き分けることができる。
【００６５】
なお、上記と同様に、危険通知の案内音源マークと路車の案内音源マークとの間のタッチ位置に基づいて、危険通知音源と路車音源とに対する音量比が設定でき、路車の案内音源マークとナビの案内音源マークとの間のタッチ位置に基づいて、路車音源とナビ音源とに対する音量比が設定できるようになっている。
【図面の簡単な説明】
【００６６】
【図１】本発明の実施の形態に係る端末装置の要部を概略的に示したブロック図である。
【図２】表示部に表示される複数音源選択画面の表示例を示した図である。
【図３】表示部に表示される複数音源出力モード画面の表示例を示した図である。
【図４】複数音源に対する音量の調整方法を説明するための図である。
【図５】（ａ）〜（ｃ）は、表示部に表示される複数音源のランダム出力モード時の画面表示例を示した図である。
【図６】実施の形態に係る端末装置におけるシステム制御部の行う処理動作を示したフローチャートである。
【図７】実施の形態に係る端末装置におけるシステム制御部の行う複数音源のランダム出力処理動作を示したフローチャートである。
【図８】別の実施の形態に係る端末装置の表示部に表示される座席別音響設定画面の表示例を示している。
【図９】さらに別の実施の形態に係る端末装置の表示部に表示される案内音源別音声設定画面の表示例を示している。
【符号の説明】
【００６７】
１  端末装置
２ａ、２ｂ、・・２ｎ  音源
３  音量制御部
４  合成部
５  出力部
６  スピーカ
７  表示部
８  操作部
９  システム制御部
【図１】
2007329806.tif 000003
【図２】
2007329806.tif 000004
【図３】
2007329806.tif 000005
【図４】
2007329806.tif 000006
【図５】
2007329806.tif 000007
【図６】
2007329806.tif 000008
【図７】
2007329806.tif 000009
【図８】
2007329806.tif 000010
【図９】
2007329806.tif 000011